(57)【要約】【課題】導通検査によってサブコネクタの半挿入状態を検知する。【解決手段】本発明は、雄端子金具３０およびこれを内部に収容する雄側サブハウジング２３を有する雄側サブコネクタ２１を雄側ホルダ２２に挿入することで一体に構成された雄側コネクタ２０を検査する導通検査治具１０であって、雄側コネクタ２０を保持するコネクタ保持部１２と、コネクタ保持部１２に対して進退するピン保持部１３と、ピン保持部１３に設けられ、同ピン保持部１３がコネクタ保持部１２に対して前進するときに、雄端子金具３０に接触する導通検査ピン１５と、ピン保持部１３に設けられ、同ピン保持部１３の前進に伴って導通検査ピン１５が雄端子金具３０に接触するに先立って雄側サブハウジング２３の前面２３Ｂを押圧する押圧ピン１４とを備えた構成としたところに特徴を有する。【選択図】図５
2011044377.tif 000002
【特許請求の範囲】
【請求項１】
端子金具およびこれを内部に収容するコネクタハウジングを有するサブコネクタをホルダに挿入することで一体に構成された分割コネクタを検査する分割コネクタ用導通検査治具であって、
前記分割コネクタを保持するコネクタ保持部と、
前記コネクタ保持部に対して進退するピン保持部と、
前記ピン保持部に設けられ、同ピン保持部が前記コネクタ保持部に対して前進するときに、前記端子金具に接触する導通検査ピンと、
前記ピン保持部に設けられ、同ピン保持部の前進に伴って前記導通検査ピンが前記端子金具に接触するに先立って前記コネクタハウジングを押圧する押圧ピンとを備えた分割コネクタ用導通検査治具。
【請求項２】
前記押圧ピンは、前記ピン保持部に装着された弾性部材によって軸方向に弾性変位可能とされていることを特徴とする請求項１に記載の分割コネクタ用導通検査治具。
【請求項３】
端子金具およびこれを内部に収容するコネクタハウジングを有するサブコネクタをホルダに挿入することで一体に構成された分割コネクタを検査する分割コネクタの検査方法であって、
前記分割コネクタを検査する分割コネクタ用導通検査治具は、前記分割コネクタを保持するコネクタ保持部と、前記コネクタ保持部に対して進退するピン保持部と、前記ピン保持部に設けられ、同ピン保持部を前記コネクタ保持部に対して前進させて前記端子金具に接触させる導通検査ピンと、前記ピン保持部に設けられ、同ピン保持部の前進に伴って前記コネクタハウジングを押圧する押圧ピンとを備えて構成され、
前記分割コネクタを前記コネクタ保持部にセットして保持させるセット工程と、前記導通検査ピンを前記端子金具に接触させて導通検査を行う導通検査工程とを備え、前記導通検査工程にて前記導通検査ピンが前記端子金具に接触するに先立って前記押圧ピンを前記コネクタハウジングに接触させて押し込むことを特徴とする分割コネクタの検査方法。
【発明の詳細な説明】
【技術分野】
【０００１】
本発明は、分割コネクタ用導通検査治具および分割コネクタの検査方法に関する。
【背景技術】
【０００２】
従来、自動車の内部に配索した複数のワイヤハーネスの端末部を一ヶ所に集約し、その集約された端末部を電源側の電線の端末部に接続する手段として、分割コネクタが用いられている。このような分割コネクタとして、例えば下記特許文献１に記載のものが知られている。この分割コネクタは、前後に開口する枠状のホルダを備えており、このホルダに、各ワイヤハーネスの端末のサブコネクタが後方から挿入される。ホルダの内壁には、サブコネクタを正規位置に保持するためのランスが形成されている。一方、サブコネクタの外面には、ランスが係止可能な受け部が形成されている。サブコネクタは、ランスが受け部に係止することにより、正規位置に保持される。
【０００３】
ところで、分割コネクタの製造工程では、サブコネクタの半挿入状態を検知するために、ランスの撓み空間に検知用プローブを挿入することが行われている。サブコネクタが正規挿入状態にある場合には、検知用プローブがランスの撓み空間に進入可能となるのに対して、サブコネクタが半挿入状態にある場合には、ランスがその撓み空間に位置しているため、検知用プローブがランスと干渉して撓み空間に進入できなくなる。このため、検知用プローブの差し込み深さを検知することで、ランスと受け部との係止がなされているか否かを確認することができるようになっている。
【先行技術文献】
【特許文献】
【０００４】
【特許文献１】特開２００２−１９８１２２号公報
【発明の概要】
【発明が解決しようとする課題】
【０００５】
しかしながら、上記の検査方法では、導通検査工程にて端子金具の導通状態を検知する導通検査と、サブコネクタの半挿入状態を検知する半挿入検査とを行う必要があるため、双方の検査機構が必要になり、分割コネクタ用検査治具の構成が複雑になってしまう。また、導通検査工程では、端子金具の導通検査とサブコネクタの半挿入検査との双方を行う必要があるため、検査時間が長くなってしまう。
【０００６】
本発明は上記のような事情に基づいて完成されたものであって、導通検査によってサブコネクタの半挿入状態を検知することを目的とする。
【課題を解決するための手段】
【０００７】
本発明は、端子金具およびこれを内部に収容するコネクタハウジングを有するサブコネクタをホルダに挿入することで一体に構成された分割コネクタを検査する分割コネクタ用導通検査治具であって、分割コネクタを保持するコネクタ保持部と、コネクタ保持部に対して進退するピン保持部と、ピン保持部に設けられ、同ピン保持部がコネクタ保持部に対して前進するときに、端子金具に接触する導通検査ピンと、ピン保持部に設けられ、同ピン保持部の前進に伴って導通検査ピンが端子金具に接触するに先立ってコネクタハウジングを押圧する押圧ピンとを備えた構成としたところに特徴を有する。
【０００８】
また、本発明は、端子金具およびこれを内部に収容するコネクタハウジングを有するサブコネクタをホルダに挿入することで一体に構成された分割コネクタを検査する分割コネクタの検査方法であって、分割コネクタを検査する分割コネクタ用導通検査治具は、分割コネクタを保持するコネクタ保持部と、コネクタ保持部に対して進退するピン保持部と、ピン保持部に設けられ、同ピン保持部をコネクタ保持部に対して前進させて端子金具に接触させる導通検査ピンと、ピン保持部に設けられ、同ピン保持部の前進に伴ってコネクタハウジングを押圧する押圧ピンとを備えて構成され、分割コネクタをコネクタ保持部にセットして保持させるセット工程と、導通検査ピンを端子金具に接触させて導通検査を行う導通検査工程とを備え、導通検査工程にて導通検査ピンが端子金具に接触するに先立って押圧ピンをコネクタハウジングに接触させて押し込むところに特徴を有する。
【０００９】
このようにすると、セット工程では、分割コネクタを分割コネクタ用導通検査治具にセットしてピン保持部で保持し、導通検査工程では、端子金具の導通検査を行う。このとき、ピン保持部がコネクタ保持部に接近し、導通検査ピンが端子金具に接触するに先立って押圧ピンをコネクタハウジングに接触させて押し込むから、押圧ピンによって半挿入状態のサブコネクタが押し出され、このサブコネクタの端子金具に導通検査ピンが接触しない状態となる。したがって、正規挿入状態のサブコネクタの端子金具に導通検査ピンが接触しても、半挿入状態のサブコネクタの端子金具には導通検査ピンが接触せず、サブコネクタの半挿入状態が導通不良として検知される。すなわち、導通検査によってサブコネクタの半挿入状態を検知することができる。
【００１０】
本発明の実施の態様として、以下の構成が好ましい。
押圧ピンは、ピン保持部に装着された弾性部材によって軸方向に弾性変位可能とされている構成としてもよい。
【００１１】
このような構成によると、弾性部材の弾発力が押圧ピンを介してコネクタハウジングに作用するため、押圧ピンが正規挿入状態のサブコネクタに接触した状態からさらに押し込まれた場合でも、この押し込みを弾性部材によって吸収することができる。
【発明の効果】
【００１２】
本発明によれば、導通検査によってサブコネクタの半挿入状態を検知することができる。
【図面の簡単な説明】
【００１３】
【図１】実施形態における分割コネクタの分解側面図
【図２】両コネクタの嵌合前の状態を示した側面図
【図３】両コネクタの嵌合後の状態を示した側面図
【図４】雄側サブコネクタが正規挿入状態にある場合に分割コネクタをコネクタ保持部にセットして保持させた状態を示した断面図
【図５】図４の状態からピン保持部をコネクタ保持部に接近させて押圧ピンの先端を雄側サブハウジングの前面に接触させた状態を示した断面図
【図６】図５の状態からピン保持部をさらにコネクタ保持部に接近させて導通検査ピンの先端を端子金具に接触させた状態を示した断面図
【図７】雄側サブコネクタが半挿入状態にある場合に押圧ピンの先端を雄側サブハウジングの前面に接触させた状態を示した断面図
【図８】図７の状態からピン保持部をさらにコネクタ保持部に接近させて半挿入状態にある雄側サブコネクタを雄側ホルダの後方に押し出した状態を示した断面図
【図９】雄側コネクタの正面図
【図１０】雌側コネクタの正面図
【図１１】ムービングプレートの斜視図
【図１２】レバーを装着する前における雄側コネクタの左側面図
【図１３】レバーを装着する前における雄側コネクタの正面図
【発明を実施するための形態】
【００１４】
＜実施形態＞
本発明の実施形態を図１ないし図１３の図面を参照しながら説明する。本実施形態のコネクタは、図１に示すように、レバー８０の回動操作に基づいて互いに嵌合可能とされる雄側コネクタ２０および雌側コネクタ６０と、雄側コネクタ２０に装着されるムービングプレート４０とを備える。なお、以下の説明において前後方向は両コネクタ２０，６０の嵌合方向を基準とし、互いの嵌合面側を前側とする。
【００１５】
雌側コネクタ６０は、図１０に示すように、複数の雌側サブコネクタ６１を合成樹脂製の雌側ホルダ６２に組み付けることで一体に構成されている。各雌側サブコネクタ６１は、合成樹脂製の雌側サブハウジング６３を有している。すなわち、雌側コネクタ６０は、雌側ホルダ６２と複数の雌側サブハウジング６３とからなる雌側コネクタハウジングを有している。この雌側コネクタハウジングは、全体として略方形のブロック状をなしており、略正方形の嵌合面を有している。
【００１６】
雌側ホルダ６２は、前後方向に開口する開口を有しており、この開口に対して後方から雌側サブコネクタ６１が挿入されるようになっている。雌側ホルダ６２は、雌側サブコネクタ６１を抜止状態に保持するロック部６４を有している。このため、雌側サブコネクタ６１が雌側ホルダ６２の開口に対して正規に挿入されると、ロック部６４が雌側サブコネクタ６１に係止することにより雌側サブコネクタ６１が後方に抜け止めされた状態で保持される。
【００１７】
雌側サブハウジング６３の内部には、雌端子金具（図示せず）を収容する複数のキャビティ６５が形成されている。キャビティ６５は、左右方向に２列で上下方向に複数段に並んで配置されている。キャビティ６５の内部には、雌端子金具を抜け止めする抜止部（図示せず）が設けられている。
【００１８】
雌側ホルダ６２の嵌合面（前面）において各雌側サブコネクタ６１間には、図１０に示すように、凹部６６が形成されている。この凹部６６は、各雌側サブコネクタ６１の嵌合面より一段低くなるように凹み形成されている。この凹部６６には、後述するように、両コネクタ２０，６０の嵌合時に、ムービングプレート４０に設けられた保護壁４１が進入するようになっている。
【００１９】
雌側ホルダ６２の両側面には、高さ方向略中央部に、前後方向に延びた断面長円形をなす一対の第１カムピン６７が突設されている。また、両第１カムピン６７の下方には、前後方向に延びた一対のガイドリブ６８が形成されている。両ガイドリブ６８によって両コネクタ２０，６０の嵌合の案内がなされるとともに、両コネクタ２０，６０の誤嵌合が防止される。
【００２０】
雄側コネクタ２０は、図１３に示すように、複数の雄側サブコネクタ２１を合成樹脂製の雄側ホルダ２２に組み付けることで一体に構成されている。各雄側サブコネクタ２１は、合成樹脂製の雄側サブハウジング２３を有している。すなわち、雄側コネクタ２０は、雄側ホルダ２２と複数の雄側サブハウジング２３とからなる雄側コネクタハウジングを有している。この雄側コネクタハウジングは、全体として略方形のブロック状をなしており、略正方形の嵌合面を有している。
【００２１】
雄側ホルダ２２において雄側サブハウジング２３より前方に突出する部分は、略角筒状をなすフード部２４とされている。フード部２４は、雄側コネクタハウジングの嵌合面の周縁から前方に突出しており、略正方形の間口を有している。フード部２４の内部には、ムービングプレート４０を収容可能である。なお、雄側サブコネクタ２１は、後方から雄側ホルダ２２に組み付けられる。
【００２２】
雄側ホルダ２２の内部には、図４の左側に示すように、雄側サブコネクタ２１を収容する雄側サブコネクタ収容部２６が前後方向に貫通して形成されている。雄側サブハウジング２３の外面には、受け部２３Ａが設けられている。一方、雄側サブコネクタ収容部２６の内部には、受け部２３Ａに係止して雄側サブコネクタ２１を抜け止め状態に保持するランス２６Ａが設けられている。これにより、図４に示すように、雄側サブコネクタ収容部２６の内部に雄側サブコネクタ２１が正規挿入状態で組み付けられると、ランス２６Ａが受け部２３Ａに係止することによって雄側サブコネクタ２１が雄側サブコネクタ収容部２６の内部において後方に抜け止めされた状態で収容される。
【００２３】
雄側サブコネクタ２１の内部には、図１３に示すように、雄端子金具３０を収容するキャビティ２５が左右方向に２列で上下方向に複数段に並んで配置されている。キャビティ２５の内部には、図４の左側に示すように、雄端子金具３０を抜け止めする抜止片２６Ｂが設けられている。また、雄側サブハウジング２３には、リテーナ２７が装着可能とされており、雄端子金具３０は、抜止片２６Ｂおよびリテーナ２７によってキャビティ２５の内部で後方に抜け止めされた状態で収容されている。両コネクタ２０，６０を嵌合させると、雌端子金具（図示せず）と雄端子金具３０とが電気的に接続される。
【００２４】
雄側ホルダ２２の両側面には、高さ方向略中央部に、レバー８０を支持する一対の支持軸２８が突設されている。また、雄側ホルダ２２の両側面には、図１２に示すように、フード部２４の前端開口縁から支持軸２８に向けて直線状に切り欠いた一対の逃がし溝２９が形成されている。両コネクタ２０，６０の嵌合時には、逃がし溝２９に第１カムピン６７が進入するようになっている。
【００２５】
レバー８０は合成樹脂製であって、図９に示すように、左右一対の板状をなすアーム部８１と、両アーム部８１を連結する操作部８２とからなり、全体として門形に形成されている。アーム部８１には支持軸２８を受ける軸受孔８３が形成されている。レバー８０は、その軸受孔８３に支持軸２８を嵌合させることで、待機位置（図２に示すアーム部８１の位置）と、嵌合位置（図３に示すアーム部８１の位置）との間で、回動可能に支持されている。雌側コネクタ６０の後面には、嵌合位置におけるレバー８０の操作部８２と係止するレバー係止部６０Ａが後方に突出して設けられている。また、アーム部８１の内面には、軸受孔８３を中心とする弧状のカム溝８４がアーム部８１の周縁に開口して形成されている。
【００２６】
ムービングプレート４０は合成樹脂製であって、フード部２４内に配置され、各雄端子金具３０を縦方向及び横方向において位置決めする役割を担っている。ここで、縦方向及び横方向とは、両コネクタ２０，６０の嵌合・離脱方向を前後方向としたときに、前後方向と直交する平面において互いに直交する方向をいう。このムービングプレート４０は、フード部２４内にて前後方向への移動を可能とされている。ムービングプレート４０は、図１１に示すように、その移動方向と略直角な板状をなす略方形のプレート本体部４２と、プレート本体部４２の周縁から立ち上がる略角筒状の周壁部４３とを備えてなる。両コネクタ２０，６０の嵌合時、周壁部４３の外周面がフード部２４の内周面に摺接可能に移動するようになっている。そして、周壁部４３の内面には、図９に示すように、両ガイドリブ６８と対応する位置に、一対の切り欠き４４が形成されている。フード部２４の内面のうち両切り欠き４４と対応する位置には、ガイドリブ６８を受け入れる一対の受け溝２４Ａが形成されている。
【００２７】
周壁部４３の両側面には、図１１に示すように、高さ方向略中央部に、前後方向に延びて周壁部４３の前端縁に開口する一対の導入溝４５が第１カムピン６７を受け入れ可能に形成されている。そして、周壁部４３の両側面には、第２カムピン４９が導入溝４５を跨ぐようにして外方に突出して形成されている。第２カムピン４９は、前方から見ると略門形をなし、その内側に第１カムピン６７を嵌合可能としている。第２カムピン４９は、その内側へ第１カムピン６７が入ってきたときに、両コネクタ２０，６０の嵌合完了に至るまでの間、第１カムピン６７と合体した状態でレバー８０のカム溝８４に係合される。これにより、レバー８０の回動操作により、雌側コネクタ６０とムービングプレート４０が一体となって移動するようになっている。
【００２８】
プレート本体部４２には、図９に示すように、各雄端子金具３０を挿通する位置決め孔４７が整列して貫通形成されている。位置決め孔４７は、プレート本体部４２の後面にラッパ状に拡開されることで各雄端子金具３０の誘い込みを可能にするとともに位置決めを保障している。ムービングプレート４０は、両コネクタ２０，６０の嵌合時、プレート本体部４２が各雄側サブコネクタ２１の前面より浮いた状態となる初期の組付位置（以下、初期位置）からプレート本体部４２が各雄側サブコネクタ２１の前面に当接する嵌合完了時の位置（以下、終端位置）にかけて移動するわけであるが、その移動経路のいずれの位置にあっても、雄端子金具３０は位置決め孔４７に貫通した状態に保たれる。これによって雄端子金具３０の位置決めが確実になされる。ムービングプレート４０が初期位置にあるときに、プレート本体部４２の前面には、図４に示すように、雄端子金具３０の先端部が突出して嵌合面側に臨むようになっており、この状態で、導通検査に供される。なお、フード部２４内における各雄端子金具３０の先端位置は前後方向について同じ位置に揃っている。
【００２９】
プレート本体部４２の前面（雌側コネクタ６０との対向面）には、図１１に示すように、複数の保護壁４１が前方に突出して設けられている。これらの保護壁４１は、雌側コネクタ６０の前面（雄側コネクタ２０との対向面）に形成された凹部６６に対応して設けられている。保護壁４１は、両コネクタ２０，６０の嵌合時に、凹部６６に嵌合可能とされている。これにより、隣り合う両雌側サブコネクタ６１は、保護壁４１によって区画される。換言すると、一の雌側サブコネクタ６１に対応する複数の位置決め孔４７を一の位置決め孔４７群としたときに、一の位置決め孔４７群とこれに隣り合う他の位置決め孔４７群とを区画する位置に保護壁４１が配置されている。
【００３０】
プレート本体部４２においてランス２６Ａと前後方向に対応する位置には、図９に示すように、ランス２６Ａの解除操作を行う解除治具を挿通させる通し孔４６が貫通形成されている。したがって、ムービングプレート４０がフード部２４内に収容された状態であっても、通し孔４６に解除治具を挿入することにより、ランス２６Ａと受け部２３Ａとの係止を解除することができる。このとき、解除治具は、通し孔４６を通ってランス２６Ａに向けて挿入されるため、雄端子金具３０との干渉が回避され、雄端子金具３０の変形などを防ぐことができる。
【００３１】
プレート本体部４２において保護壁４１によって区画された各ブロックには、上下一対からなるピン挿通孔４８がそれぞれ貫通形成されている。各ピン挿通孔４８は、前記した位置決め孔４７群の上下両側に配置され、各雄側サブハウジング２３の前面２３Ｂと対向する位置に配置されている。このため、後述する押圧ピン１４が各ピン挿通孔４８に挿通されると、押圧ピン１４の先端が雄側サブハウジング２３の前面２３Ｂに接触するようになっている。
【００３２】
次に、導通検査治具１０について説明する。導通検査治具１０は、図４に示すように、ベース部１１を有し、ベース部１１の上面に、コネクタ保持部１２とピン保持部１３とが設けられている。コネクタ保持部１２は、ベース部１１の左端部に立設されている。ピン保持部１３は、コネクタ保持部１２に対して進退する方向（前後方向）にベース部１１の上面を移動可能とされている。すなわち、ピン保持部１３は、図４に示す退避位置と図６に示す検知位置との間を前後方向に直動可能とされている。雄側コネクタ２０は、ピン保持部１３が退避位置にあるときに、ベース部１１の上面にセットされ、雄側コネクタ２０の後面がコネクタ保持部１２に接触することにより雄側コネクタ２０の後方への移動が規制される。
【００３３】
ピン保持部１３は、雄側サブハウジング２３の前面２３Ｂに接触してこれを押圧する押圧ピン１４と、位置決め孔４７から前方に突出した雄端子金具３０の先端に接触して導通検査を行う導通検査ピン１５とを備えて構成されている。押圧ピン１４と導通検査ピン１５は、ともにピン保持部１３における雄側コネクタ２０との対向面１３Ａから前方に突出して配置されている。押圧ピン１４の先端は、導通検査ピン１５の先端よりも前方に配置されており、導通検査ピン１５の先端から押圧ピン１４の先端までの距離は、雄側サブハウジング２３の前面２３Ｂから雄端子金具３０の先端までの距離よりも長めに設定されている。
【００３４】
押圧ピン１４の基端部１４Ａは、ピン保持部１３の内部に配設された押圧ばね１６によって前方に付勢されている。このため、図５に示すように、ピン保持部１３を退避位置から前進させて押圧ピン１４の先端をピン挿通孔４８に通し、押圧ピン１４の先端を雄側サブハウジング２３の前面２３Ｂに接触させ、さらにピン保持部１３を前進させて検知位置に移動させると、図６に示すように、押圧ピン１４は雄側サブハウジング２３の前面２３Ｂによって前進することが規制されるものの、押圧ばね１６が圧縮されることでピン保持部１３に対して相対的に後退することになる。
【００３５】
一方、導通検査ピン１５の外周には、軸方向に沿って検査ばね１７が外嵌されており、この検査ばね１７は、導通検査ピン１５の先端に張り出し形成されたばね受け部とピン保持部１３の対向面１３Ａとの間に圧縮状態で配設されている。このため、ピン保持部１３を退避位置から前進させて導通検査ピン１５の先端を雄端子金具３０の先端に接触させ、さらにピン保持部１３を前進させて検知位置に移動させると、図６に示すように、導通検査ピン１５は雄端子金具３０の先端によって前進することが規制されるものの、検査ばね１７が圧縮されることでピン保持部１３に対して相対的に後退することになる。
【００３６】
ここで、本実施形態では導通検査ピン１５の先端が雄端子金具３０の先端に接触するに先立って押圧ピン１４の先端が雄側サブハウジング２３の前面２３Ｂに接触しこれを押圧するように構成されている。このため、図７に示すように、雄側サブコネクタ２１が雄側ホルダ２２に対して半挿入状態にあるときには、押圧ピン１４の先端によって雄側サブコネクタ２１が雄側ホルダ２２の後方に押し出され、図８に示すように、雄側サブコネクタ収容部２６が空き状態となるため、挿通検査ピン１５の先端が雄端子金具３０の先端に接触しないことになる。
【００３７】
導通検査ピン１５は検知部（図示せず）に接続されており、この導通検査ピン１５の先端に接触する雄端子金具３０も検知部に接続されている。導通検査ピン１５と雄端子金具３０との間を電流が流れたことが検知部により検知されると、導通検査ＯＫと判断される。一方、導通検査ピン１５と雄端子金具３０との間を電流が流れたことが検知部により検知されないと、導通検査ＮＧと判断される。さらに、雄側サブコネクタ２１が半挿入状態にあるときには、この雄側サブコネクタ２１に含まれる全ての雄端子金具３０が導通検査ＮＧと判断されるため、雄側サブコネクタ２１の半挿入状態を容易に検知することができる。したがって、押圧ピン１４の基端部１４Ａの位置を検出する位置センサなどを設けることなく雄側サブコネクタ２１の半挿入状態を検知することができる。
【００３８】
本実施形態は以上のような構成であって、続いてその作用を説明する。まず、雄側コネクタ２０の検査方法について説明する。検査を行うにあたっては、周壁部４３の外周面をフード部２４の内周面に沿わせつつ、ムービングプレート４０を初期位置に組み付けた状態とし、レバー８０を待機位置に保持させた状態とする。セット工程では、導通検査治具１０のピン保持部１３を図４に示す退避位置に配置した上で、雄側コネクタ２０を導通検査治具１０のベース部１１の上面に載置する。詳細には、一方のアーム部８１を下側に向けてベース部１１の上面に載せた上で雄側ホルダ２２の後面をコネクタ保持部１２に接触させておく。引き続き、導通検査工程では、図５に示すように、ピン保持部１３を雄側コネクタ２０に対して接近させ、押圧ピン１４の先端を雄側サブハウジング２３の前面２３Ｂに接触させた後、ピン保持部１３を検知位置に移動させ、導通検査ピン１５の先端を雄端子金具３０の先端に接触させる。
【００３９】
ここで、雄側サブコネクタ２１が雄側サブコネクタ収容部２６に対して正規挿入状態にあるときには、ランス２６Ａが受け部２３Ａに係止しているため、雄側サブコネクタ２１の後方への移動が規制される。このため、ピン保持部１３をさらに雄側コネクタ２０側に接近させることにより押圧ピン１４の先端が雄側サブハウジング２３の前面２３Ｂに対して弾性的に接触しても、押圧ピン１４によって雄側サブコネクタ２１が雄側サブコネクタ収容部２６から後方へ押し出されることはない。そして、ピン保持部１３が図６に示す検知位置に至ると、導通検査ピン１５の先端が雄端子金具３０の先端に対して弾性的に接触することにより、雄端子金具３０の導通検査が行われる。
【００４０】
一方、雄側サブコネクタ２１が雄側サブコネクタ収容部２６に対して半挿入状態にあるときには、図７に示すように、ランス２６Ａが受け部２３Ａに乗り上げた状態となっており、ランス２６Ａが受け部２３Ａに係止していないため、ピン保持部１３を図８に示す検知位置へ移動させると、雄側サブコネクタ２１が押圧ピン１４によって雄側サブコネクタ収容部２６の後方へ押し出される。この結果、半挿入状態の雄側サブコネクタ２１が収容されていた雄側サブコネクタ収容部２６は空き状態となるため、その後にピン保持部１３が検知位置へ至っても、導通検査ピン１５が雄側サブコネクタ２１の雄端子金具３０に接触することはなく、導通検査ＮＧと判断される。このとき、後方へ押し出された雄側サブコネクタ２１に含まれる全ての雄端子金具３０が導通不良と判定されるため、個別の雄端子金具３０が導通不良となる場合とは異なり、半挿入状態による不良モードであることをすぐに検知できる。こうして、雄側サブコネクタ２１の半挿入状態が導通検査によって検知される。
【００４１】
次に、両コネクタ２０，６０の嵌合操作について簡単に説明する。まず、フード部２４内に前方から雌側コネクタ６０を進入させる。雌側コネクタ６０が正規姿勢をとってフード部２４内に進入すると、ムービングプレート４０内に雌側コネクタ６０が嵌入し、雌側コネクタ６０の側面が周壁部４３によって包囲されるとともに、雌側コネクタ６０の前面がプレート本体部４２の前面と対面する。この状態では、第１カムピン６７がレバー８０のカム溝８４の入口に進入するとともに、導入溝４５に嵌入され、第１カムピン６７と第２カムピン４９が合体した状態でカム溝８４と係合可能となる。
【００４２】
次に、レバー８０を嵌合位置側へ回動すると、第２カムピン４９とカム溝８４との係合によるカム作用によって、雌側コネクタ６０がフード部２４の奥側へ引き込まれるように相対移動し、両コネクタ２０，６０が互いに接近する。このとき、プレート本体部４２の保護壁４１が雌側コネクタ６０の凹部６６に嵌入した状態となり、ムービングプレート４０が雌側コネクタ６０と一体となってフード部２４の奥側へ平行に移動する。ムービングプレート４０が移動する間、各雄端子金具３０は、位置決め孔４７を貫通した状態にあるため、正しい位置に保持される。雄端子金具３０は、雌端子金具（図示せず）に対して正規姿勢で嵌合し、両者が導通可能に接続される。
【００４３】
以上のように本実施形態では、導通検査治具１０に押圧ピン１４を設け、導通検査ピン１５による導通検査に先立って押圧ピン１４が雄側サブハウジング２３の前面２３Ｂに接触するようにしたから、雄側サブコネクタ２１の半挿入状態を導通検査によって検知できる。また、押圧ピン１４の基端部１４Ａが押圧ばね１６によって支持されているから、押圧ピン１４による押し込みを押圧ばね１６によって吸収することができる。
【００４４】
＜他の実施形態＞
本発明は上記記述及び図面によって説明した実施形態に限定されるものではなく、例えば次のような実施形態も本発明の技術的範囲に含まれる。
（１）上記実施形態では分割コネクタとして雄側コネクタ２０を例示しているものの、本発明によると、雌側コネクタ６０を導通検査治具１０で導通検査してもよい。
（２）上記実施形態ではピン保持部１３をコネクタ保持部１２に対して移動させているものの、本発明によると、コネクタ保持部１２をピン保持部１３に対して移動させるようにしてもよい。
【００４５】
（３）上記実施形態ではコネクタ保持部１２とピン保持部１３がベース部１１で一体に構成されているものの、本発明によると、コネクタ保持部１２とピン保持部１３を別体に構成してもよい。
（４）上記実施形態では押圧ピン１４の基端部１４Ａを押圧ばね１６によって支持しているものの、本発明によると、押圧ばね１６を設けることなく、押圧ピン１４の内部に弾性部材を装着するなどして押圧ピン１４自体を伸縮可能に構成してもよい。
【符号の説明】
【００４６】
１０…導通検査治具（分割コネクタ用導通検査治具）
１２…コネクタ保持部
１３…ピン保持部
１４…押圧ピン
１５…導通検査ピン
１６…押圧ばね（弾性部材）
２０…雄側コネクタ（分割コネクタ）
２１…雄側サブコネクタ
２２…雄側ホルダ
２３…雄側サブハウジング
３０…雄端子金具
【図１】
2011044377.tif 000003
【図２】
2011044377.tif 000004
【図３】
2011044377.tif 000005
【図４】
2011044377.tif 000006
【図５】
2011044377.tif 000007
【図６】
2011044377.tif 000008
【図７】
2011044377.tif 000009
【図８】
2011044377.tif 000010
【図９】
2011044377.tif 000011
【図１０】
2011044377.tif 000012
【図１１】
2011044377.tif 000013
【図１２】
2011044377.tif 000014
【図１３】
2011044377.tif 000015